(57)【要約】【課題】薄型化を図りながら発光表示素子の照明ムラを抑えることが可能な表示装置を提供する。【解決手段】液晶表示パネル１（発光表示素子）と、この液晶表示パネル１が保持されるケース３と、発光ダイオード４が配置された回路基板５とを備え、発光ダイオード４は液晶表示パネル１の一端部１Ａに対応した箇所に配置され、回路基板５に対して平行方向であって液晶表示パネル１に対応する回路基板５の基板面領域とは反対側に光を出射するサイドビュー型であり、ケース３には発光ダイオード４の出射方向側に第１の反射壁３Ｂを設けると共に、第１の反射壁３Ｂで反射され液晶表示パネル１と回路基板５との間の空間Ｓに向かう光を液晶表示パネル１側に反射させる第２の反射壁３Ｃを設けた。【選択図】図１
2010272386.tif 000002
【特許請求の範囲】
【請求項１】
発光表示素子と、この発光表示素子が保持されるケースと、前記発光表示素子の背後に配置され発光ダイオードが配置された回路基板とを備え、前記発光ダイオードは前記発光表示素子の一端部に対応した箇所に配置され、前記回路基板に対して平行方向であって前記発光表示素子に対応する前記回路基板の基板面領域とは反対側に光を出射するサイドビュー型であり、前記ケースには前記発光ダイオードの出射方向側に第１の反射壁を設けると共に、前記第１の反射壁で反射され前記発光表示素子と前記回路基板との間の空間に向かう光を前記発光表示素子側に反射させる第２の反射壁を前記発光表示素子と前記回路基板との間に設けたことを特徴とする表示装置。
【請求項２】
前記第１の反射壁で反射され前記発光表示素子の前記一端部側に向かう光を前記第２の反射壁側に反射させる反射部を前記第１の反射壁の前記発光表示素子側に設けたことを特徴とする請求項１に記載の表示装置。
【請求項３】
前記第１の反射壁で反射され前記発光表示素子の前記一端部と直交する他端部に対応した前記空間に向かう光を前記第２の反射壁側に反射させる側壁を前記ケースの前記発光表示素子と前記回路基板との間に設けたことを特徴とする請求項１または請求項２に記載の表示装置。
【発明の詳細な説明】
【技術分野】
【０００１】
本発明は、例えば車両用の計器に備えられる表示装置に関し、詳しくは背後から照明される発光表示素子を備えた表示装置に関するものである。
【背景技術】
【０００２】
発光表示素子を備えた表示装置としては、例えば下記特許文献１がある。特許文献１に記載された表示装置は、表示装置の薄型化を可能とするために、窓部Ｗを有するパネル体ＭＰの背後に所定の情報を表示する表示パネル１（発光表示素子）を配置し、この表示パネル１の背後で窓部Ｗよりも外側にＬＥＤ４を配置する。そして、ＬＥＤ４からの光を表示パネル１と対向して配置した反射部２４に反射させるようにし、この反射光で表示パネル１を照明させる。この様に構成することによって、ＬＥＤ４で表示パネル１を直射するタイプに比べて薄型化を可能としつつ表示パネル１を略均一に照明できるというものである。
【先行技術文献】
【特許文献】
【０００３】
【特許文献１】特開２００１−１２５４９６号公報
【発明の概要】
【発明が解決しようとする課題】
【０００４】
しかしながら、特許文献１の図２に示す様に、ＬＥＤ４からの光を表示パネル１と対向して配置された反射部２４側に向けて出射するタイプでは、ＬＥＤ４と反射部２４とが近すぎると、ＬＥＤ４の照射範囲（角度）外であるＬＥＤ４側の反射部２４の両側箇所（表示パネル１側から反射部２４を平面視した際の反射部２４の両側箇所）に光が照射され難い。すると、その箇所では表示パネル１側に反射する光が少ないために表示パネル１の照明にムラが発生しやすくなるという問題点がある。
【０００５】
また、特許文献１の図５に示す様に、ＬＥＤ４からの光を真上方向に向けて出射させ、反射手段３１で反射させた光を反射部２４側に向けて出射するタイプでは、ＬＥＤ４と反射手段３１とが近すぎると、反射手段３１に照射される範囲が狭くなってしまう。すると、反射手段３１で反射されて反射部２４に照射された光に強弱が発生し、その結果、表示パネル１の照明にムラが発生する可能性がある。
【０００６】
本発明はこの様な点に鑑みなされたもので、発光表示素子を備えた表示装置に於いて、薄型化を図りながら発光表示素子の照明ムラを抑えることが可能な表示装置を提供することを目的とする。
【課題を解決するための手段】
【０００７】
本発明は前記目的を達成するため、発光表示素子と、この発光表示素子が保持されるケースと、前記発光表示素子の背後に配置され発光ダイオードが配置された回路基板とを備え、前記発光ダイオードは前記発光表示素子の一端部に対応した箇所に配置され、前記回路基板に対して平行方向であって前記発光表示素子に対応する前記回路基板の基板面領域とは反対側に光を出射するサイドビュー型であり、前記ケースには前記発光ダイオードの出射方向側に第１の反射壁を設けると共に、前記第１の反射壁で反射され前記発光表示素子と前記回路基板との間の空間に向かう光を前記発光表示素子側に反射させる第２の反射壁を前記発光表示素子と前記回路基板との間に設けたものである。
【０００８】
また、前記第１の反射壁で反射され前記発光表示素子の一端部側に向かう光を前記第２の反射壁側に反射させる反射部を前記第１の反射壁の前記発光表示素子側に設けたものである。
【０００９】
また、前記第１の反射壁で反射され前記発光表示素子の一端部と直交する他端部に対応した前記空間に向かう光を前記第２の反射壁側に反射させる側壁を前記ケースの前記発光表示素子と前記回路基板との間に設けたものである。
【発明の効果】
【００１０】
発光表示素子を備えた表示装置に於いて、薄型化を図りながら発光表示素子の照明ムラを抑えることが可能な表示装置を得ることができる。
【図面の簡単な説明】
【００１１】
【図１】本発明の実施形態を示す表示装置の断面図である。
【図２】同表示装置の断面図（図１とは直交する方向）である。
【図３】同表示装置に備えられる発光ダイオードからの光の方向を示す説明図である。
【発明を実施するための形態】
【００１２】
本発明の実施形態を各図に基づいて説明する。なお、本実施形態に於いては発光表示素子を液晶表示パネルとして説明する。表示装置は、四角形で周知の透過型の液晶表示パネル１と、この液晶表示パネル１の裏面側に配置された光透過性を有する拡散板２と、液晶表示パネル１および拡散板２が保持されるケース３と、液晶表示パネル１の背後に配置され液晶表示パネル１を照明する発光ダイオード４が配置された硬質の回路基板５と、液晶表示パネル１の周縁部を覆う前面板６と、液晶表示パネル１の電極部と回路基板５の回路パターンとを繋ぐ導電性の接続部材７などを備えている。
【００１３】
詳細な説明および図示は省略するが、液晶表示パネル１は車両の走行距離や時刻，外気温などの様々な情報が黒色で表示され、背景は発光ダイオード４の点灯によって透過照明されるようになっている。
【００１４】
発光ダイオード４は、液晶表示パネル１の一端部１Ａに対応した回路基板５箇所に配置され、回路基板５に対して平行方向であって液晶表示パネル１に対応した回路基板５の基板面領域とは反対側に光を出射するサイドビュー型である。
【００１５】
ケース３は、遮光性のある例えば白色の合成樹脂からなり、拡散板２および液晶表示パネル１が載置される裁置部３Ａと、発光ダイオード４の出射方向側に設けられた第１の反射壁３Ｂと、この第１の反射壁３Ｂで反射して液晶表示パネル１と回路基板５との間の空間Ｓに向かった光を液晶表示パネル１側に反射させる第２の反射壁３Ｃと、第１の反射壁３Ｂで反射され液晶表示パネル１側に向かった光を第２の反射壁３Ｃ側に反射させる反射部３Ｄと、第１の反射壁３Ｂで反射され液晶表示パネル１の一端部１Ａと直交する他端部１Ｂに対応した空間Ｓに向かった光を第２の反射壁３Ｃ側に反射させる側壁３Ｅを有している。
【００１６】
第１の反射壁３Ｂは、液晶表示パネル１の発光ダイオード４側の一端部１Ａとほぼ平行で回路基板５上に立設してある。また、第２の反射壁３Ｃは、第１の反射壁３Ｂで反射され、液晶表示パネル１と回路基板５との間の空間Ｓに向かった光を受け、この光を液晶表示パネル１側に反射させるように液晶表示パネル１と回路基板５との間に、発光ダイオード４側から遠ざかるに従って液晶表示パネル１に近づくように傾斜して設けてある。
【００１７】
反射部３Ｄは、第１の反射壁３Ｂの液晶表示パネル１側に設けられており、第１の反射壁３Ｂで反射され液晶表示パネル１の一端部１Ａ側に向かった光の一部を第２の反射壁３Ｃ側に反射させるようになっている。
【００１８】
側壁３Ｅは、液晶表示パネル１の一端部１Ａと直交する方向である他端部１Ｂに対応した液晶表示パネル１と回路基板５との間に設けられており、第１の反射壁３Ｂで反射され液晶表示パネル１の他端部１Ｂに対応した液晶表示パネル１と回路基板５との間の空間Ｓに向かった光を第２の反射壁３Ｃ側に反射させるようになっている。
【００１９】
前面板６は、ケース３の前面側（視認者側）に配置され液晶表示パネル１の周縁部を覆うと共に、液晶表示パネル１の可視領域を定める開口部６Ａが設けてある。本実施形態に於ける前面板６は合成樹脂製の薄板で、表面には黒色の印刷が施されている。
【００２０】
この様に構成された計器の照明装置に於いて、例えば夜間など周囲が暗い時に例えば白色で発光する発光ダイオード４が点灯すると、図１および図３に矢印で示す様に、発光ダイオード４からの光は第１の反射壁３Ｂを照射する。そして、第１の反射壁３Ｂで反射して液晶表示パネル１と回路基板５との間の空間Ｓに進んだ光は第２の反射壁３Ｃに反射して液晶表示パネル１側に向かう。また、液晶表示パネル１と回路基板５との間の空間Ｓに進んだ光で液晶表示パネル１の他端部１Ｂに対応した空間Ｓに向かう光もある。この光はケース３の側壁３Ｅに反射して第２の反射壁３Ｃ側に進み、第２の反射壁３Ｃに反射して液晶表示パネル１側に向かう。
【００２１】
また、第１の反射壁３Ｂに反射して液晶表示パネル１の一端部１Ａ側に向かう光もある。この液晶表示パネル１の一端部１Ａ側に向かった光の一部は反射部３Ｄに反射して第２の反射壁３Ｃ側に向かい、第２の反射壁３Ｃに反射して液晶表示パネル１側に向かう。また、第１の反射壁３Ｂで反射して液晶表示パネル１の裏面側に向かう光もある。前述したこれらの光によって液晶表示パネル１が白色で透過照明されるようになる。
【００２２】
この様に、液晶表示パネル１と、この液晶表示パネル１が保持されるケース３と、液晶表示パネル１の背後に配置され発光ダイオード４が配置された回路基板５とを備え、発光ダイオード４は液晶表示パネル１の一端部１Ａに対応した箇所に配置され、回路基板５に対して平行方向であって液晶表示パネル１に対応する回路基板５の基板面領域とは反対側に光を出射するサイドビュー型であり、ケース３には発光ダイオード４の出射方向側に第１の反射壁３Ｂを設けると共に、第１の反射壁３Ｂで反射され液晶表示パネル１と回路基板５との間の空間Ｓに向かう光を液晶表示パネル１側に反射させる第２の反射壁３Ｃを液晶表示パネル１と回路基板５との間に設けたことにより、発光ダイオード４からの光を第１の反射壁３Ｂに反射させることで、液晶表示パネル１と回路基板５との間の空間Ｓに向かう反射光の照射範囲を広げることができる。
【００２３】
そして、この広がった反射光を第２の反射壁３Ｃで液晶表示パネル１側に反射させて液晶表示パネル１を照射させることで液晶表示パネル１の照明ムラを抑えることが可能となる。また、サイドビュー型の発光ダイオード４を用いているために、液晶表示パネル１と回路基板５との間隔を狭めても反射光の範囲には影響しないため表示装置の薄型化も図られる。
【００２４】
また、第１の反射壁３Ｂで反射され液晶表示パネル１の一端部１Ａ側に向かう光を第２の反射壁３Ｃ側に反射させる反射部３Ｄを第１の反射壁３Ｂの液晶表示パネル１側に設けたことにより、第１の反射壁３Ｂで反射された光の多くを効率良く液晶表示パネル１の裏面側に導くことができ、液晶表示パネル１の照明ムラを抑えて液晶表示パネル１をより明るく透過照明させることが可能となる。
【００２５】
また、第１の反射壁３Ｂで反射され液晶表示パネル１の一端部１Ａと直交する他端部１Ｂに対応した空間Ｓに向かう光を第２の反射壁３Ｃ側に反射させる側壁３Ｅをケース３の液晶表示パネル１と回路基板５との間に設けたことにより、第１の反射壁３Ｂで反射された光の多くを効率良く液晶表示パネル１の裏面側に導くことができ、液晶表示パネル１の照明ムラを抑えて液晶表示パネル１をより明るく透過照明させることが可能となる。
【００２６】
なお、本発明に於ける反射壁，反射部，側壁の形状は任意である。要は光を所望とする箇所に反射させるようになっていれば良い。また、表示装置が速度計や回転計などを備えた車両用の計器装置に組み込まれる場合であっても本発明の表示装置が適用でき、その場合、ケースあるいは回路基板は計器装置を構成する計器ケースや回路基板と一体であっても良い。
【符号の説明】
【００２７】
１  液晶表示パネル（発光表示素子）
１Ａ  一端部
１Ｂ  他端部
３  ケース
３Ｂ  第１の反射壁
３Ｃ  第２の反射壁
３Ｄ  反射部
３Ｅ  側壁
４  発光ダイオード
５  回路基板
Ｓ  空間
【図１】
2010272386.tif 000003
【図２】
2010272386.tif 000004
【図３】
2010272386.tif 000005